(57)【要約】【課題】  操舵補助装置の最適な操舵特性が刻々と変わるような走行条件のもとでは運転者が頻繁に設定を変更しなければならないという課題を解決する。【解決手段】  所定範囲の地図情報と任意の道路区間の路面情報とを表示する表示手段と、表示手段に表示された地図情報と路面情報とに基づいて、表示手段に表示された任意の道路区間における操舵支援手段の操舵特性を予め設定可能な操舵特性設定手段とを備えることにより、表示された道路区間の路面情報に基づいて、運転者が手間をかけずに、例えば道路交通情報や気象情報等の路面情報に応じて様々な操舵特性の設定を行なうことができる。【選択図】        図９
2005225430.tif 000002
【特許請求の範囲】
【請求項１】
少なくとも１つの操舵支援手段の操舵特性を変更することにより、様々な道路での車両の走行を支援する走行支援装置において、
所定範囲の地図情報と任意の道路区間の路面情報とを表示する表示手段と、
前記表示手段に表示された前記地図情報と前記路面情報とに基づいて、前記表示手段に表示された任意の道路区間における前記操舵支援手段の操舵特性を予め設定可能な操舵特性設定手段と
を備えることを特徴とする走行支援装置。
【請求項２】
前記操舵特性設定手段が、前記操舵支援手段の操舵特性を車両内部または外部の記憶装置に記憶して運転者の意思で自由に書き換えることを可能にしたことを特徴とする請求項１に記載の走行支援装置。
【請求項３】
前記操舵特性設定手段が、車両の走行条件に合わせて、いくつかの操舵支援手段の操舵特性を記憶させておき、それらを前記表示手段の画面上で呼び出して地図情報上に配置することでも操舵特性を設定可能にすることを特徴とする請求項１または請求項２に記載の走行支援装置。
【請求項４】
無線を利用した情報端末を接続し、少なくとも道路交通情報または気象情報を入力することで、前記地図情報上の任意の道路区間の路面状態における車両の最適な操舵特性を予め設定しておくことができることを特徴とする請求項１ないし請求項３のいずれか１項に記載の走行支援装置。
【請求項５】
前記地図情報上の任意の道路区間の路面情報を、少なくとも凍結または濡れ状態と設定できることを特徴とする請求項１ないし請求項４のいずれか１項に記載の走行支援装置。
【請求項６】
少なくとも前記地図情報の表示画面または前記操舵支援手段の操舵特性設定画面にナビゲーション装置の表示画面を利用することを特徴とする請求項１ないし請求項５のいずれか１項に記載の走行支援装置。
【請求項７】
前記操舵支援手段が、ステアリングシャフトにかかる操舵トルクを検出するトルクセンサと、前記ステアリングシャフトにかかるトルクを補助するための電動モータと、該トルクセンサで検出した前記操舵トルクに応じて、前記電動モータに供給する電流値を決定する制御手段と、該制御手段で決定した電流値により前記電動モータを駆動するモータ駆動手段と、を備えた電動パワーステアリング装置であって、
設定変更可能な前記電動パワーステアリング装置の操舵特性は、前記操舵トルクに対するモータ電流特性、前記ステアリングシャフトの操舵速度に対する逆電流特性、または前記ステアリングシャフトを中立位置に戻す戻し電流特性のいずれかであることを特徴とする請求項１ないし請求項６のいずれか１項に記載の走行支援装置。
【請求項８】
前記操舵支援手段が、車両の転舵輪の転舵角を検知する転舵角検知センサと、分割されたステアリング側のステアリングシャフトと前記転舵輪側のステアリングシャフトとの間の回転角を電動モータにより相対的に可変させる駆動アクチュエータと、該電動モータの駆動を制御する制御装置とを備えた伝達比可変操舵装置であって、
設定変更可能な前記伝達比可変操舵装置の操舵特性は、車速に対するステアリング側のステアリングシャフトと前記転舵輪側のステアリングシャフトとの間の舵角比であることを特徴とする請求項１ないし請求項６のいずれか１項に記載の走行支援装置。
【請求項９】
前記操舵支援手段が、車両の後輪に配置され電動モータにより後輪の舵角を変化させるアクチュエータと、該電動モータの駆動を制御する制御装置とを備えた後輪操舵装置であって、
設定変更可能な前記後輪操舵装置の操舵特性は、車両の前後軸と路面に固定された基準軸とのなす角であるヨー角の時間微分に対する後輪の舵角であることを特徴とする請求項１ないし請求項６のいずれか１項に記載の走行支援装置。
【発明の詳細な説明】
【技術分野】
【０００１】
本発明は走行支援装置に関し、詳しくはＥＰＳ（Electric Power Steering；電動パワーステアリング装置），ＶＧＲＳ（Variable Gear Ratio Steering；ギア比可変ステアリング装置），４ＷＳ（4 Wheel Steering；アクティブ後輪操舵装置）などの操舵補助装置（本発明の操舵支援手段）における操舵特性を設定変更可能にして車両の走行を支援する走行支援装置に関する。
【背景技術】
【０００２】
ＡＢＳ（Anti-Lock Brake System；アンチロック・ブレーキ・システム）などのブレーキシステムと異なり、ＥＰＳ，ＶＧＲＳ，４ＷＳなどの操舵補助装置では、安全性とともに操作中のフィーリングの向上も商品としての車両の魅力を高める重要な要素である。しかし、人間の操舵フィーリングは、個人差が大きく、また同型の車両でも積載重量や、走行距離に応じたタイヤ磨耗などの経年変化や、走行路面の凹凸、路面摩擦などの変化により最適な操舵特性が異なるので、これらの条件を検知した上で、操舵補助装置の操舵特性を自動で最適化するためには莫大なコストがかかり、不可能に近い。
【０００３】
そこで、運転者が自分の車両に最適と思われる操舵特性を詳細にかつ簡便に設定できる走行支援装置の一つとして、電動パワーステアリング装置の操舵特性設定装置が提案されている（例えば、特許文献１参照）。
【特許文献１】特開２００２−２９３２５７号公報（第５−６頁、図５）
【発明の開示】
【発明が解決しようとする課題】
【０００４】
上述した従来の操舵特性設定装置では、操舵補助装置としての電動パワーステアリング装置の最適な操舵特性が刻々と変わるような走行条件のもとでは、運転者は頻繁に操舵特性の設定を変更せねばならず、煩雑であるという課題があった。
【０００５】
また、車両が停止しているときに１種類の操舵特性の設定のみが可能であったので、運転者は、例えば現在の道路交通情報（交通情報，地形情報）や気象情報等の路面情報に応じて操舵特性の設定を変更したい場合に、車両を１回１回停止して操舵特性の設定を変更する必要があり、手間がかかるという課題があった。
【０００６】
上記事情を背景とし、本発明の課題は、操舵補助装置の最適な操舵特性が刻々と変わるような走行条件のもとでは運転者が頻繁に設定を変更しなければならないという課題を、操舵補助装置の最適な操舵特性を車両内部または外部の記憶装置に記憶して運転者の意思で自由に書き換えることにより解決した走行支援装置を提供とすることを目的とする。
【課題を解決するための手段および発明の効果】
【０００７】
本発明は、上記課題を解決するための走行支援装置を提供することにある。即ち、請求項１によれば、少なくとも１つの操舵支援手段の操舵特性を変更することにより、様々な道路での車両の走行を支援する走行支援装置において、所定範囲の地図情報と任意の道路区間の路面情報とを表示する表示手段と、前記表示手段に表示された前記地図情報と前記路面情報とに基づいて、前記表示手段に表示された任意の道路区間における前記操舵支援手段の操舵特性を予め設定可能な操舵特性設定手段とを備える走行支援装置として構成される。本構成によって、表示された道路区間の路面情報に基づいて、運転者が手間をかけずに、例えば道路交通情報（交通情報，地形情報）や気象情報等の路面情報に応じて様々な操舵特性の設定変更を行なうことができる。
【０００８】
請求項２によれば、本発明の走行支援装置は、前記操舵特性設定手段が、前記操舵支援手段の操舵特性を車両内部または外部の記憶装置に記憶して運転者の意思で自由に書き換えることを可能にする構成とすることができる。本構成によって、運転者が、操舵特性の詳細な変更を自由に設定することができる。
【０００９】
請求項３によれば、本発明の走行支援装置は、前記操舵特性設定手段が、車両の走行条件に合わせて、いくつかの操舵支援手段の操舵特性を記憶させておき、それらを前記表示手段の画面上で呼び出して地図情報上に配置することでも操舵特性を設定可能にする構成とすることができる。本構成によって、運転者に車両の走行条件に合った推奨操舵特性を提示することができ、運転者は推奨操舵特性を選択または操作して自身の操舵フィーリングに合った操舵特性を車両に与えることができる。
【００１０】
請求項４によれば、本発明の走行支援装置は、無線を利用した情報端末を接続し、少なくとも道路交通情報または気象情報を入力することで、前記地図情報上の任意の道路区間の路面状態における車両の最適な操舵特性を予め設定しておくことができる構成とすることができる。本構成によって、カーナビゲーション装置（以下、単にナビゲーション装置と称する）や携帯電話機などから道路交通情報（交通情報，地形情報）や気象情報等の路面情報を得て、これらの情報に応じて走行予定の任意の道路区間の路面状態（でこぼこ道等の要注意路，凍結路）における車両の最適な操舵特性を予め設定しておくことができる。また、現在の道路区間の路面情報に基づいて、それに合った推奨操舵特性を、運転者に提示することができる。
【００１１】
請求項５によれば、本発明の走行支援装置は、前記地図情報上の任意の道路区間の路面情報を、少なくとも凍結または濡れ状態と設定できる構成とすることができる。本構成によって、車両の操舵特性を走行する道路区間の凍結または濡れ状態に合わせて最適に設定できるので、事故等の発生を未然に防止して、車両の安全性を高めることができる。
【００１２】
請求項６によれば、本発明の走行支援装置は、少なくとも前記地図情報の表示画面または前記操舵支援手段の操舵特性設定画面にナビゲーション装置の表示画面を利用する構成とすることができる。本構成によって、予め車両に備えられているナビゲーション装置を利用して車両の走行支援を容易に実現することができる。
【００１３】
請求項７によれば、本発明の走行支援装置は、前記操舵支援手段が、ステアリングシャフトにかかる操舵トルクを検出するトルクセンサと、前記ステアリングシャフトにかかるトルクを補助するための電動モータと、該トルクセンサで検出した前記操舵トルクに応じて、前記電動モータに供給する電流値を決定する制御手段と、該制御手段で決定した電流値により前記電動モータを駆動するモータ駆動手段と、を備えた電動パワーステアリング装置であって、設定変更可能な前記電動パワーステアリング装置の操舵特性は、前記操舵トルクに対するモータ電流特性、前記ステアリングシャフトの操舵速度に対する逆電流特性、または前記ステアリングシャフトを中立位置に戻す戻し電流特性のいずれかである構成をとることもできる。本構成によって、運転者は電動パワーステアリング装置の操舵特性を容易に設定できるようになる。
【００１４】
請求項８によれば、本発明の走行支援装置は、前記操舵支援手段が、車両の転舵輪の転舵角を検知する転舵角検知センサと、分割されたステアリング側のステアリングシャフトと前記転舵輪側のステアリングシャフトとの間の回転角を電動モータにより相対的に可変させる駆動アクチュエータと、該電動モータの駆動を制御する制御装置とを備えた伝達比可変操舵装置であって、設定変更可能な前記伝達比可変操舵装置の操舵特性は、車速に対するステアリング側のステアリングシャフトと前記転舵輪側のステアリングシャフトとの間の舵角比である構成をとることもできる。本構成によっても、運転者は伝達比可変操舵装置の操舵特性を容易に設定できるようになる。
【００１５】
請求項９によれば、本発明の走行支援装置は、前記操舵支援手段が、車両の後輪に配置され電動モータにより後輪の舵角を変化させるアクチュエータと、該電動モータの駆動を制御する制御装置とを備えた後輪操舵装置であって、設定変更可能な前記後輪操舵装置の操舵特性は、車両の前後軸と路面に固定された基準軸とのなす角であるヨー角の時間微分に対する後輪の舵角である構成をとることもできる。本構成によっても、運転者は後輪操舵装置の操舵特性を容易に設定できるようになる。
【発明を実施するための最良の形態】
【００１６】
操舵補助装置の最適な操舵特性が刻々と変わるような車両の走行条件のもとでは運転者が頻繁に設定を変更しなければならないという課題を、操舵補助装置の操舵特性を予め設定可能な操舵特性設定手段を設けることにより解決した。
【実施例】
【００１７】
以下、本発明の走行支援装置について、図面に示す実施例を参照しながら説明する。
【００１８】
図１は、本発明の走行支援装置を搭載する車両のシステム図である。この車両システムは、トルクセンサ１１１，ＥＰＳアクチュエータ１１５，ＥＰＳ−ＥＣＵ（Electric Control Unit）１３０などからなる電動パワーステアリング装置と、操舵角センサ２１１，ＶＧＲＳアクチュエータ２１２，ＶＧＲＳ−ＥＣＵ２１３などからなるギア比可変ステアリング装置（本発明の伝達比可変操舵装置）と、ヨーレイトセンサ３０１，後輪操舵アクチュエータ３０２，後輪舵角センサ３０６，後輪操舵ＥＣＵ３０７などからなるアクティブ後輪操舵装置（本発明の後輪操舵装置）とを含んで構成されている。
【００１９】
電動パワーステアリング装置では、操舵ハンドル１１０が操舵軸（ステアリングシャフト）１１２ａに接続されて、操舵軸１１２ａの下端は運転者の操舵ハンドル１１０の動きを検出するトルクセンサ１１１に接続されており、ピニオンシャフト（ステアリングシャフト）１１２ｂの上端がトルクセンサ１１１に接続されている。また、ピニオンシャフト１１２ｂの下端には、ピニオン１１２ｃが設けられ、ピニオン１１２ｃがラックバー１１８に噛合されている。更に、ラックバー１１８の両端には、ナックルアーム１２２，１２２を介して操舵輪１２４，１２４が接続されている。また、ラックバー１１８には、ＥＰＳアクチュエータ１１５がピニオン１１５ａを介して取り付けられている。なお、ＥＰＳアクチュエータ１１５は、ラックバー１１８に同軸的に取り付ける方法を採ってもよい。
【００２０】
トルクセンサ１１１およびＥＰＳアクチュエータ１１５は、ＥＰＳ−ＥＣＵ１３０に接続されている。ＥＰＳ−ＥＣＵ１３０には、ＣＰＵ（Central Processing Unit），ＲＡＭ（Random Access Memory），ＲＯＭ（Read Only Memory），Ｉ／Ｏ（Input/Output）およびこれらの構成を接続するバスライン等が備えられているが、すでに公知のものであるので、その詳しい説明については割愛する。
【００２１】
ＥＰＳ−ＥＣＵ１３０においてＥＰＳ制御プログラムを実行することにより、トルクセンサ１１１で検出されたトルクに対応したＥＰＳアクチュエータ１１５で発生させる駆動トルクを算出し、算出した駆動トルクを発生させるための電圧をＥＰＳアクチュエータ１１５に印加する。詳しくは、トルクセンサ１１１がステアリングシャフトにかかる操舵トルクを検出し、検出された操舵トルクに応じてＥＰＳアクチュエータ１１５に供給する電流値を決定し、決定された電流値によりＥＰＳアクチュエータ１１５を駆動して、ステアリングシャフトにかかるトルクを補助する。
【００２２】
ギア比可変ステアリング装置では、操舵ハンドル１１０が操舵軸１１２ａに接続されて、この操舵軸１１２ａには運転者の操舵ハンドル１１０の動きを検出する操舵角センサ２１１が接続されており、さらにＶＧＲＳアクチュエータ２１２が接続されている。
【００２３】
操舵角センサ２１１およびＶＧＲＳアクチュエータ２１２は、ＶＧＲＳ−ＥＣＵ２１３に接続されている。ＶＧＲＳ−ＥＣＵ２１３には、ＣＰＵ，ＲＡＭ，ＲＯＭ，Ｉ／Ｏおよびこれらの構成を接続するバスライン等が備えられているが、すでに公知のものであるので、その詳しい説明については割愛する。
【００２４】
ＶＧＲＳ−ＥＣＵ２１３においてＶＧＲＳ制御プログラムを実行することにより、操舵角センサ２１１で検出された操舵角に対応したＶＧＲＳアクチュエータ２１２で発生させる舵角比を算出し、算出した舵角比を発生させるための電圧をＶＧＲＳアクチュエータ２１２に印加する。なお、転舵角検知センサが車両の転舵輪の転舵角を検知し、ＶＧＲＳアクチュエータ２１２が分割された操舵ハンドル（ステアリング）１１０側の操舵軸（ステアリングシャフト）１１２ａと転舵輪側のステアリングシャフトとの間の回転角を電動モータにより相対的に変化させる。
【００２５】
アクティブ後輪操舵装置では、ヨーレイトセンサ３０１が設けられているとともに、後輪操舵アクチュエータ３０２がピニオン３０２ａを介してラックバー３０３に噛合されている。更に、ラックバー３０３の両端には、ナックルアーム３０４，３０４を介して後輪３０５，３０５が接続されている。また、ラックバー３０３の近傍には、後輪舵角センサ３０６が配置されている。
【００２６】
ヨーレイトセンサ３０１，後輪操舵アクチュエータ３０２および後輪舵角センサ３０６は、後輪操舵ＥＣＵ３０７に接続されている。後輪操舵ＥＣＵ３０７には、ＣＰＵ，ＲＡＭ，ＲＯＭ，Ｉ／Ｏおよびこれらの構成を接続するバスライン等が備えられているが、すでに公知のものであるので、その詳しい説明については割愛する。
【００２７】
後輪操舵ＥＣＵ３０７において後輪操舵制御プログラムを実行することにより、ヨーレイトセンサ３０１で検出されたヨーレイトおよび後輪舵角センサ３０６で検出された後輪舵角に対応した後輪操舵アクチュエータ３０２で発生させる値を算出し、算出した値を発生させるための電圧を後輪操舵アクチュエータ３０２に印加する。後輪操舵アクチュエータ３０２は、電動モータにより後輪３０５，３０５の舵角を変化させる。
【００２８】
図２は、本発明の一実施例としてのナビゲーション装置１００を用いた走行支援装置の全体構成を示すブロック図である。なお、本発明の走行支援装置が、ナビゲーション装置１００に限定されるものでないことはいうまでもない。
【００２９】
ナビゲーション装置１００は、位置検出器１，地図データ入力器６，操作スイッチ群７，リモートコントロール（以下、リモコンと称する）センサ１１，音声案内などを行なうスピーカ１５，外部記憶装置９，表示装置１０，これらの接続された制御回路８，リモコン端末１２を備えている。
【００３０】
位置検出器１は、周知の地磁気センサ２，ジャイロスコープ３，距離センサ４，および衛星からの電波に基づいて車両の位置を検出するＧＰＳ（Global Positioning System）のためのＧＰＳ受信機５を有している。これらのセンサ等２，３，４，５は、各々が性質の異なる誤差を持っているため、複数のセンサにより各々補完しながら使用するように構成されている。なお、精度によっては、前述したうちの一部センサで構成してもよく、さらに、ステアリングの回転センサや各転動輪の車輪センサ等を用いてもよい。
【００３１】
地図データ入力器６は、位置検出の精度向上のためのいわゆるマップマッチング用データ、道路の接続を表した道路データを含む各種データを記憶媒体１８から入力するための装置である。記憶媒体としては、そのデータ量からＣＤ−ＲＯＭ（Compact Disk-Read Only Memory）やＤＶＤ（Digital Video Disk），ハードディスクドライブ（以降、ＨＤＤと称する）を用いるのが一般的であるが、例えばメモリカード等の他の記憶媒体を用いてもよい。
【００３２】
操作スイッチ群７は、例えば表示装置１０と一体になったタッチスイッチもしくはメカニカルなスイッチ等が用いられる。タッチスイッチは、表示装置１０の画面上に縦横に微細に配置された赤外線センサより構成されており、例えば指やタッチペンなどでその赤外線を遮断すると、その遮断した位置が２次元座標値（Ｘ，Ｙ）として検出される。また、マウスやカーソル等のポインティングデバイスを用いてもよい。これら操作スイッチ群７およびリモコン端末１２によって、種々の指示を入力することが可能である。
【００３３】
表示装置１０は、カラー液晶表示器等により構成されており、表示装置１０の画面には位置検出器１から入力された車両現在位置マークと、地図データ入力器６から入力された地図データと、更に地図上に表示する誘導経路等の付加データとを重ね合わせて表示すると共に、本画面に経路案内の設定および経路誘導中の案内や画面の切り換え操作を行なうためのメニューアイコンが表示される。
【００３４】
送受信装置１３は、ＶＩＣＳ（Vehicle Information and Communication System；道路交通情報通信システム）等の情報センタ１４との通信を行なうための装置である。この送受信装置１３を介して外部から受け取った情報は、制御回路８において処理する。
【００３５】
また、通信ユニット１９に携帯電話機１７あるいは自動車電話機等の移動体通信機器を接続することによっても、外部ネットワークとの接続が可能で、インターネット等に接続することができる。さらに、ＥＴＣ（Electronic  Toll  Collection；自動料金収受システム）車載器１６と通信することにより、ＥＴＣ車載器１６がＥＴＣ路上器から受信した、料金情報などをナビゲーション装置１００に取り込むことができる。また、ＥＴＣ車載器１６によって外部ネットワークと接続することも可能である。これら携帯電話機１７あるいはＥＴＣ車載器１６を介して情報センタ１４との通信を行なう構成を採ってもよい。
【００３６】
制御回路８は、通常のコンピュータとして構成されており、周知のＣＰＵ８１，ＲＯＭ８２，ＲＡＭ８３，入出力回路であるＩ／Ｏ８４およびこれらの構成を接続するバスライン８５が備えられている。ＣＰＵ８１は、ＲＯＭ８２およびＲＡＭ８３に記憶されたプログラムおよびデータにより制御を行なう。ＲＯＭ８２は、プログラム格納領域８２ａとデータ記憶領域８２ｂとを有している。プログラム格納領域８２ａにはナビゲーションプログラム（以下、ナビプログラムと称する）８２ｐが格納される。データ記憶領域８２ｂには、ナビプログラム８２ｐの動作に必要なデータが格納されているとともに、内部記憶装置として運転者等によって設定された、ＥＰＳ，ＶＧＲＳ，４ＷＳなどの操舵補助装置の操舵特性が一覧として記憶される。また、ナビプログラム８２ｐは、ＲＡＭ８３上にてナビプログラム用ワークメモリ８３ｗを作業領域とする形で作動する。なお、地図データ入力器６にＨＤＤを用いる場合は、ＲＯＭ８２およびＲＡＭ８３の機能をＨＤＤによって実施してもよい。
【００３７】
さらに、外部記憶装置９には、ナビゲーション装置１００の動作に必要な情報およびデータが記憶されている。特に、運転者等によって設定された、ＥＰＳ，ＶＧＲＳ，４ＷＳなどの操舵補助装置の操舵特性が一覧として記憶される。なお、外部記憶装置９は、車両のアクセサリスイッチがオフ状態（即ち、ナビゲーション装置１００がオフ状態）になっても、記憶内容が保持されるようになっている。
【００３８】
このような構成を持つことにより、ナビゲーション装置１００は、制御回路８のＣＰＵ８１によりナビプログラム８２ｐが起動されると、運転者が操作スイッチ群７あるいはリモコン端末１２を操作して、表示装置１０上に表示されるメニューから目的地経路を表示装置１０に表示させるための経路案内処理を選択した場合、次のような処理を実施する。即ち、運転者が表示装置１０上の地図に基づいて目的地を入力すると、ＧＰＳ受信機５から得られる衛星データに基づき車両の現在地が求められ、現在地から目的地までの最適な経路を求める処理が行なわれる。そして、表示装置１０上の道路地図に誘導経路を重ねて表示し、運転者に適切な経路を案内する。また、表示装置１０およびスピーカ１５によって、操作時のガイダンスや動作状態に応じたメッセージの送出を行なう。
【００３９】
次に、図３ないし図６のフローチャートを用いて、ナビゲーション装置１００において実行される走行支援処理（便宜的に処理１〜処理４に分けられる）について説明する。なお、この走行支援処理は、ナビゲーション装置１００が動作中にナビゲーション装置１００の他の処理とともに繰り返し行なわれる。
【００４０】
図３の処理１では、運転者によりカーナビの利用が設定されると（Ｓ１０１）、ナビゲーション装置１００は、操舵特性設定機能を起動するかどうかを運転者に問い合わせる（Ｓ１０２）。操舵特性設定機能を起動しない場合には、ナビゲーション装置１００は、ステップＳ１０１に制御を戻す。
【００４１】
操舵特性設定機能を起動する場合には、ナビゲーション装置１００は、地図上で表示する領域（特定の範囲）および縮尺を運転者に選定させ、データ記憶領域８２ｂのデータに基づいて特定の範囲の地図を表示装置１０上に表示させる（Ｓ１０３）。例えば、図７においては、川および橋を含む特定範囲の地図が表示されている。
【００４２】
次に、ナビゲーション装置１００は、データ記憶領域８２ｂのデータに基づいて表示装置１０に表示された地図上に急勾配の下り坂や未舗装路があるかどうかを判定し（Ｓ１０４）、あれば、表示装置１０に表示された地図上に急勾配の下り坂や未舗装路であることを強調表示する（Ｓ１０５）。
【００４３】
続いて、ナビゲーション装置１００は、情報センタ１４等から入力される道路交通情報および気象情報等の路面情報を総合的に判断して、表示装置１０に表示された地図上に工事中，自然災害による障害，段差，降雨凍結などによる滑り易い路面などの要注意路面があるかどうかを判定し（Ｓ１０６）、あれば、表示装置１０に表示された地図上に要注意路面を強調表示する（Ｓ１０７）。
【００４４】
次に、ナビゲーション装置１００は、現在の操舵特性の設定を確認するかどうかを運転者に問い合わせ（Ｓ１０８）、確認するのであれば、データ記憶領域８２ｂのデータに基づいて、表示装置１０に表示された地図上にデフォルト特性でない操舵特性が設定されている道路区間があるかどうかを判定し（Ｓ１０９）、あれば、デフォルト特性でない現在の操舵特性の設定を地図上に吹き出し表示して（Ｓ１１０）、ステップＳ１０８に制御を戻す。例えば、図７においては、四角形で囲まれた橋を含む道路区間にデフォルト特性でない認識番号００１の操舵特性が設定されていることが吹き出し表示されている。
【００４５】
一方、現在の操舵特性の設定を確認しない（Ｓ１０８；ＮＯ）、または表示装置１０に表示された地図上にデフォルト特性でない操舵特性が設定されている道路区間がないのであれば（Ｓ１０９；ＮＯ）、ナビゲーション装置１００は、表示装置１０に表示された地図上で任意の道路区間が選択されたかどうかを判定し（Ｓ１１１）、選択されていなければ、ナビゲータ（ナビゲーション装置１００の初期画面）へ戻るかどうかを運転者に問い合わせる（Ｓ１１２）。ナビゲータへ戻る場合には、ナビゲーション装置１００は、ステップＳ１０１に制御を戻し、ナビゲータに戻らない場合にはステップＳ１０３に制御を戻す。
【００４６】
また、表示装置１０に表示された地図上で任意の道路区間が選択されたときには（Ｓ１１１；ＹＥＳ）、ナビゲーション装置１００は、処理２に制御を移行する。
【００４７】
図４の処理２では、ナビゲーション装置１００は、選択された道路区間が急勾配の下り坂，未舗装路，その他の要注意路面に相当するかどうかを判定し（Ｓ２０１）、相当すれば、選択された道路区間の要注意路面情報を表示装置１０に表示された地図上に表示する（Ｓ２０２）。例えば、図７においては、四角形で囲まれた橋を含む道路区間に要注意路面情報として橋が凍結中である旨が吹き出し表示されている。
【００４８】
選択された道路区間が急勾配の下り坂，未舗装路，その他の要注意路面に相当しなければ、ナビゲーション装置１００は、選択された道路区間は要注意路面でない旨を表示装置１０に表示された地図上に表示する（Ｓ２０３）。
【００４９】
次に、ナビゲーション装置１００は、操舵特性の設定変更を行なうかどうかを運転者に問い合わせる（Ｓ２０４）。例えば、図７に示されるように、操舵特性００１が設定されている場合、「変更しますか？」と表示して運転者に操舵特性を設定変更するかどうかを問い合わせる。
【００５０】
操舵特性の設定変更を行なわない場合には、ナビゲーション装置１００は、操舵特性設定機能の初期画面に戻るかどうかを運転者に問い合わせる（Ｓ２０５）。
【００５１】
操舵特性設定機能の初期画面に戻るのであれば、ナビゲーション装置１００は、操舵特性設定機能の初期画面（具体的には、ステップＳ１０３）に制御を戻し（Ｓ２０６）、戻らないのであれば、ナビゲータへ戻るかどうかを運転者に問い合わせる（Ｓ２０７）。
【００５２】
ナビゲータへ戻らないのであれば、ナビゲーション装置１００は、ステップＳ２０４に制御を戻し、ナビゲータへ戻るのであれば、ナビゲータ（具体的には、ステップＳ１０１）へ制御を戻す（Ｓ２０８）。
【００５３】
操舵特性の設定変更を行なう場合には（Ｓ２０４；ＹＥＳ）、ナビゲーション装置１００は、処理３に制御を移行する。
【００５４】
図５の処理３では、ナビゲーション装置１００は、データ記憶領域８２ｂに記憶されたデータに基づいて、選択された道路区間の路面状態に対する推奨操舵特性の認識番号および説明を表示装置１０に表示された地図上に表示すると同時に、デフォルト特性および運転者が作成した操舵特性の一覧を表示装置１０に表示された地図上に表示する（Ｓ３０１）。
【００５５】
例えば、図８（ａ）は、車速Ｖにおける、操舵トルク−モータ電流特性（ＥＰＳ）の推奨操舵特性の一例を示す線図である。ここでは、通常道路に対して、悪路および凍結路の場合には、同一操舵トルクでのモータ電流を少なくすることを推奨している。
【００５６】
また、図８（ｂ）は、車速−舵角比（ＶＧＲＳ）の推奨操舵特性の一例を示す線図である。ここでは、通常道路に対して、悪路および凍結路の場合には、同一車速での舵角比を小さくすることを推奨している。
【００５７】
さらに、図８（ｃ）は、車速Ｖにおけるヨーレイト−後輪舵角（４ＷＳ）の推奨操舵特性の一例を示す線図である。ここでは、通常道路に対して、悪路および凍結路の場合には、同一ヨーレイトでの後輪舵角を小さくすることを推奨している。
【００５８】
次に、ナビゲーション装置１００は、運転者により推奨操舵特性が選択されたかどうかを判定する（Ｓ３０２）。
【００５９】
推奨操舵特性が選択された場合には、ナビゲーション装置１００は、データ記憶領域８２ｂに記憶された現在の操舵特性を推奨操舵特性に変更し（Ｓ３０３）、推奨操舵特性が選択されなかった場合には、運転者により操舵特性一覧から操舵特性が選択されたかどうかを判定する（Ｓ３０４）。
【００６０】
操舵特性一覧から操舵特性が選択された場合には、ナビゲーション装置１００は、データ記憶領域８２ｂに記憶された現在の操舵特性を選択された操舵特性に変更する（Ｓ３０５）。
【００６１】
次に、ナビゲーション装置１００は、処理２に戻るかどうかを運転者に問い合わせ（Ｓ３０６）、戻らない場合には、ステップＳ３０１に制御を戻し、戻る場合には、処理２に制御を戻す（Ｓ３０７）。
【００６２】
操舵特性一覧から操舵特性が選択されなかった場合には（Ｓ３０４；ＮＯ）、ナビゲーション装置１００は、操舵特性を編集／新規作成するかどうかを運転者に問い合わせ（Ｓ３０８）、操舵特性を編集／新規作成するのであれば、処理４に制御を移行する。
【００６３】
図６の処理４では、ナビゲーション装置１００は、操舵特性を新規作成するかどうかを運転者に問い合わせる（Ｓ４０１）。この問い合わせでは、例えば、図９，図１０および図１１中に示されるメイン画面のように、運転者が選択した走行予定範囲の地図が表示され、この地図には任意の道路区間の路面情報、すなわち未舗装路，傾斜勾配，曲率，道幅などが記載される一方、ＥＰＳ，ＶＧＲＳ，４ＷＳのそれぞれの操舵特性を設定できる操舵特性設定画面を開くためのＥＰＳアイコン，ＶＧＲＳアイコンおよび４ＷＳアイコンが表示される。
【００６４】
操舵特性を新規作成するのであれば（Ｓ４０１；ＹＥＳ）、ナビゲーション装置１００は、空白の操舵特性を作成して認識番号を新規取得する（Ｓ４０２）。
【００６５】
操舵特性を新規作成しないのであれば（Ｓ４０１；ＮＯ）、ナビゲーション装置１００は、編集対象の操舵特性を既存の操舵特性一覧から選択するかどうかを運転者に問い合わせ（Ｓ４０３）、選択するのであれば、操舵特性一覧から選択した操舵特性をコピーして認識番号を新規取得する（Ｓ４０４）。
【００６６】
編集対象の操舵特性を既存の操舵特性一覧から選択しないのであれば（Ｓ４０３；ＮＯ）、ナビゲーション装置１００は、外部記憶装置９からダウンロードするかどうかを運転者に問い合わせ（Ｓ４０５）、ダウンロードするのであれば、外部記憶装置９から操舵特性をダウンロードして認識番号を新規取得する（Ｓ４０６）。
【００６７】
次に、ナビゲーション装置１００は、編集対象である操舵補助装置の操舵特性を選択するかどうかを運転者に問い合わせ（Ｓ４０７）、編集終了であれば、処理３に制御を戻す（Ｓ４１１）。
【００６８】
操舵ハンドル１１０を回す力に応じて発生する操舵補助力の割合を表すＥＰＳ操舵特性が編集対象の操舵特性として選択されたのであれば、ナビゲーション装置１００は、情報センタ１４等から入力される道路交通情報および気象情報等の路面情報を総合的に判断して、表示装置１０上にＥＰＳ操舵特性設定画面を表示して運転者にＥＰＳ操舵特性を編集させ（Ｓ４０８）、処理３に制御を戻す（Ｓ４１１）。
【００６９】
例えば、図９に示されるように、メイン画面においてＥＰＳアイコンが押された場合に、情報センタ１４等から入力される道路交通情報および気象情報等の路面情報が走行予定の道路区間が通常道路であることを示していれば、通常道路での車速Ｖ１，Ｖ２およびＶ３（Ｖ１＜Ｖ２Ｖ＜３）のＥＰＳ操舵特性を車両が安全な走行ができる範囲で可変に設定できるＥＰＳ操舵特性設定画面が表示装置１０上に表示されるので、運転者はＥＰＳ操舵特性設定画面上で通常道路での車速Ｖ１，Ｖ２およびＶ３のＥＰＳ操舵特性を編集する。また、情報センタ１４等から入力される道路交通情報および気象情報等の路面情報が走行予定の道路区間が悪路であることを示していれば、悪路での車速Ｖ１，Ｖ２およびＶ３（Ｖ１＜Ｖ２＜Ｖ３）のＥＰＳ操舵特性を車両が安全な走行ができる範囲で可変に設定できるＥＰＳ操舵特性設定画面が表示装置１０上に表示されるので、運転者はＥＰＳ操舵特性設定画面上で悪路での車速Ｖ１，Ｖ２およびＶ３のＥＰＳ操舵特性を編集する。さらに、情報センタ１４等から入力される道路交通情報および気象情報等の路面情報が走行予定の道路区間が凍結路であることを示していれば、凍結路での車速Ｖ１，Ｖ２およびＶ３（Ｖ１＜Ｖ２＜Ｖ３）のＥＰＳ操舵特性を車両が安全な走行ができる範囲で可変に設定できるＥＰＳ操舵特性設定画面が表示装置１０上に表示されるので、運転者はＥＰＳ操舵特性設定画面上で凍結路での車速Ｖ１，Ｖ２およびＶ３のＥＰＳ操舵特性を編集する。
【００７０】
具体的には、運転者は、通常道路，悪路および凍結路の各場合において、自らの嗜好，性癖ないしは車両の走行条件などに応じて最適な操舵フィーリングが得られるように、表示装置１０のＥＰＳ操舵特性画面上に表示されたＥＰＳ操舵特性を目視しながら操作スイッチ群７やリモコン端末１２を用いてＥＰＳ操舵特性の線図をクリックしたり、ドローしたりしてＥＰＳ操舵特性を編集する。
【００７１】
なお、可変可能なＥＰＳ操舵特性としては、少なくとも操舵トルクに対するモータ電流特性，ステアリングシャフトの操舵速度に対する逆電流特性，あるいはステアリングシャフトを中立位置に戻す戻し電流特性がある。
【００７２】
ＥＰＳ操舵特性の編集後、運転者が設定終了アイコンを押すと、ナビゲーション装置１００は、メイン画面に制御を戻す。
【００７３】
ナビゲーション装置１００は、編集されたＥＰＳ操舵特性をデータ記憶領域８２ｂまたは外部記憶装置９に格納する。また、ナビゲーション装置１００は、格納されたＥＰＳ操舵特性を読み取り、読み取られたＥＰＳ操舵特性に基づいて駆動信号を発生し、操舵動作をアシストするＥＰＳアクチュエータ１１５を制御する。
【００７４】
このように、ＥＰＳ操舵特性が、車両購入時のデフォルト特性から運転者の嗜好，性癖ないしは車両の走行条件などに応じて最適な操舵フィーリングが得られるように編集されるため、運転者は、ＥＰＳ操舵特性を見ながら必要な編集量を大小といった直観的ないしは感覚的な量として把握できる。これにより、嗜好，性癖ないしは車両の走行条件などに応じ、運転者の個性に見合った多様な操舵フィーリングに運転者自身で簡易かつ迅速にＥＰＳ操舵特性を設定変更することができる。
【００７５】
一方、操舵ハンドル１１０の回転角に応じて操舵輪１２４の舵角を発生するＶＧＲＳ操舵特性が編集対象の操舵特性として選択されたのであれば、ナビゲーション装置１００は、情報センタ１４等から入力される道路交通情報および気象情報等の路面情報を総合的に判断して、表示装置１０上にＶＧＲＳ操舵特性設定画面を表示して運転者にＶＧＲＳ操舵特性を編集させ（Ｓ４０９）、処理３に制御を戻す（Ｓ４１１）。
【００７６】
例えば、図１０に示されるように、メイン画面においてＶＧＲＳアイコンが押された場合に、情報センタ１４等から入力される道路交通情報および気象情報等の路面情報が走行予定の道路区間が通常道路であることを示していれば、通常道路でのＶＧＲＳ操舵特性を車両が安全な走行ができる範囲で可変に設定できるＶＧＲＳ操舵特性設定画面が表示装置１０上に表示されるので、運転者はＶＧＲＳ操舵特性設定画面上で通常道路でのＶＧＲＳ操舵特性を編集する。また、情報センタ１４等から入力される道路交通情報および気象情報等の路面情報が走行予定の道路区間が悪路であることを示していれば、悪路でのＶＧＲＳ操舵特性を車両が安全な走行ができる範囲で可変に設定できるＶＧＲＳ操舵特性設定画面が表示装置１０上に表示されるので、運転者はＶＧＲＳ操舵特性設定画面上で悪路でのＶＧＲＳ操舵特性を編集する。さらに、情報センタ１４等から入力される道路交通情報および気象情報等の路面情報が走行予定の道路区間が凍結路であることを示していれば、凍結路でのＶＧＲＳ操舵特性を車両が安全な走行ができる範囲で可変に設定できるＶＧＲＳ操舵特性設定画面が表示装置１０上に表示されるので、運転者はＶＧＲＳ操舵特性設定画面上で凍結路でのＶＧＲＳ操舵特性を編集する。
【００７７】
具体的には、運転者は、通常道路，悪路および凍結路の各場合において、自らの嗜好，性癖ないしは車両の走行条件などに応じて最適な操舵フィーリングが得られるように、表示装置１０のＶＧＲＳ操舵特性画面上に表示されたＶＧＲＳ操舵特性を目視しながら操作スイッチ群７やリモコン端末１２を用いてＶＧＲＳ操舵特性の線図をクリックしたり、ドローしたりしてＶＧＲＳ操舵特性を編集する。
【００７８】
ＶＧＲＳ操舵特性の編集後、運転者が設定終了アイコンを押すと、ナビゲーション装置１００は、メイン画面に制御を戻す。
【００７９】
ナビゲーション装置１００は、編集されたＶＧＲＳ操舵特性をデータ記憶領域８２ｂまたは外部記憶装置９に格納する。また、ナビゲーション装置１００は、格納されたＶＧＲＳ操舵特性を読み取り、読み取られたＶＧＲＳ操舵特性に基づいて駆動信号を発生し、操舵動作をアシストするＶＧＲＳアクチュエータ２１２を制御する。
【００８０】
このように、ＶＧＲＳ操舵特性が、車両購入時のデフォルト特性から運転者の嗜好，性癖ないしは車両の走行条件などに応じて最適な操舵フィーリングが得られるように編集されるため、運転者は、ＶＧＲＳ操舵特性を見ながら必要な編集量を大小といった直観的ないしは感覚的な量として把握できる。これにより、嗜好，性癖ないしは車両の走行条件などに応じ、運転者の個性に見合った多様な操舵フィーリングに運転者自身で簡易かつ迅速にＶＧＲＳ操舵特性を設定変更することができる。
【００８１】
他方、車体に発生するヨー角速度に対する後輪舵角の比（ヨーレイト）を表す４ＷＳ操舵特性が編集対象の操舵特性として選択されたのであれば、ナビゲーション装置１００は、情報センタ１４等から入力される道路交通情報および気象情報等の路面情報を総合的に判断して、４ＷＳ操舵特性設定画面を表示して運転者に４ＷＳ操舵特性を編集させ（Ｓ４１０）、処理３に制御を戻す（Ｓ４１１）。
【００８２】
例えば、図１１に示されるように、メイン画面において４ＷＳアイコンが押された場合に、情報センタ１４等から入力される道路交通情報および気象情報等の路面情報が走行予定の道路区間が通常道路であることを示していれば、通常道路での車速Ｖ１，Ｖ２およびＶ３（Ｖ１＜Ｖ２＜Ｖ３）の４ＷＳ操舵特性を車両が安全な走行ができる範囲で可変に設定できる４ＷＳ操舵特性設定画面が表示装置１０上に表示されるので、運転者は４ＷＳ操舵特性設定画面上で通常道路での車速Ｖ１，Ｖ２およびＶ３の４ＷＳ操舵特性を編集する。また、情報センタ１４等から入力される道路交通情報および気象情報等の路面情報が走行予定の道路区間が悪路であることを示していれば、悪路での車速Ｖ１，Ｖ２およびＶ３（Ｖ１＜Ｖ２＜Ｖ３）の４ＷＳ操舵特性を車両が安全な走行ができる範囲で可変に設定できる４ＷＳ操舵特性設定画面が表示装置１０上に表示されるので、運転者は４ＷＳ操舵特性設定画面上で悪路での車速Ｖ１，Ｖ２およびＶ３の４ＷＳ操舵特性を編集する。さらに、情報センタ１４等から入力される道路交通情報および気象情報等の路面情報が走行予定の道路区間が凍結路であることを示していれば、凍結路での車速Ｖ１，Ｖ２およびＶ３（Ｖ１＜Ｖ２＜Ｖ３）の４ＷＳ操舵特性を車両が安全な走行ができる範囲で可変に設定できる４ＷＳ操舵特性設定画面が表示装置１０上に表示されるので、運転者は４ＷＳ操舵特性設定画面上で凍結路での車速Ｖ１，Ｖ２およびＶ３の４ＷＳ操舵特性を編集する。
【００８３】
具体的には、運転者は、通常道路，悪路および凍結路の各場合において、自らの嗜好，性癖ないしは車両の走行条件などに応じて最適な操舵フィーリングが得られるように、表示装置１０の４ＷＳ操舵特性画面上に表示された４ＷＳ操舵特性を目視しながら操作スイッチ群７やリモコン端末１２を用いて４ＷＳ操舵特性の線図をクリックしたり、ドローしたりして４ＷＳ操舵特性を編集する。
【００８４】
４ＷＳ操舵特性の編集後、運転者が設定終了アイコンを押すと、ナビゲーション装置１００は、メイン画面に制御を戻す。
【００８５】
ナビゲーション装置１００は、編集された４ＷＳ操舵特性をデータ記憶領域８２ｂまたは外部記憶装置９に格納する。また、ナビゲーション装置１００は、格納された４ＷＳ操舵特性を読み取り、読み取られた４ＷＳ操舵特性に基づいて駆動信号を発生し、操舵動作をアシストする後輪操舵アクチュエータ３０２を制御する。
【００８６】
このように、４ＷＳ操舵特性は、車両購入時のデフォルト特性から運転者の嗜好，性癖ないしは車両の走行条件などに応じて最適な操舵フィーリングが得られるように編集されるため、運転者は、４ＷＳ操舵特性を見ながら必要な編集量を大小といった直観的ないしは感覚的な量として把握できる。これにより、嗜好，性癖ないしは車両の走行条件などに応じ、運転者の個性に見合った多様な操舵フィーリングに運転者自身で簡易かつ迅速に４ＷＳ操舵特性を設定変更することができる。
【００８７】
本実施例によれば、運転者は、地図上の任意の道路区間における各操舵補助装置の操舵特性をデフォルト特性より変更したい場合は、画面上でその道路区間を選び、各操舵補助装置の操舵特性設定画面を開き、操舵特性を変更して設定することができる。具体的には、少なくともＥＰＳ操舵特性，ＶＧＲＳ操舵特性および４ＷＳ操舵特性を変更して設定することができる。
【００８８】
また、運転者は自分の車両の走行条件に合わせて、いくつかの操舵補助装置の操舵特性を記憶させておき、それを画面上で呼び出し、地図上に配置することでも操舵特性を設定変更することができる。
【００８９】
さらに、道路交通情報（交通情報，地形情報）や気象情報等の路面情報を得て、これらの情報に応じて走行予定の任意の道路区間の路面状態における車両の最適な操舵特性を予め設定しておくことができる。
【００９０】
さらにまた、現在の道路区間の路面情報に基づいて、それに合った推奨操舵特性を、運転者に提示することができる。
【００９１】
また、地図情報だけでなく道路交通情報や気象情報に応じて、凍結や濡れ、またはその恐れのある道路区間を地図上に表示し、各操舵補助装置の操舵特性を最適に設定することができるので、事故等の発生を未然に防止して、車両の安全性を高めることができる。
【００９２】
さらに、すでに車両に備えられているナビゲーション装置を利用して車両の走行支援装置を容易に実現することができる。
【００９３】
以上、本発明の実施の形態を説明したが、これらはあくまで例示にすぎず、本発明はこれらに限定されるものではなく、特許請求の範囲の趣旨を逸脱しない限りにおいて、当業者の知識に基づく種々の変更が可能である。
【図面の簡単な説明】
【００９４】
【図１】本発明の走行支援装置を搭載する車両のシステム図。
【図２】本発明の一実施例としてのナビゲーション装置を用いた走行支援装置の全体構成を示すブロック図。
【図３】図２に示したナビゲーション装置において実行される走行支援処理の処理１を示すフローチャート。
【図４】図２に示したナビゲーション装置において実行される走行支援処理の処理２を示すフローチャート。
【図５】図２に示したナビゲーション装置において実行される走行支援処理の処理３を示すフローチャート。
【図６】図２に示したナビゲーション装置において実行される走行支援処理の処理４を示すフローチャート。
【図７】選択された道路区間の要注意路面情報を表示するナビゲーション装置の画面を例示する図。
【図８】推奨操舵特性を例示する図であり、（ａ）は車速Ｖにおける、操舵トルク−モータ電流特性（ＥＰＳ）の推奨操舵特性の一例を示す線図、（ｂ）は車速−舵角比（ＶＧＲＳ）の推奨操舵特性の一例を示す線図、（ｃ）は車速Ｖにおけるヨーレイト−後輪舵角（４ＷＳ）の推奨操舵特性の一例を示す線図。
【図９】ナビゲーション装置のメイン画面およびＥＰＳ操舵特性設定画面の一例を示す画面図。
【図１０】ナビゲーション装置のメイン画面およびＶＧＲＳ操舵特性設定画面の一例を示す画面図。
【図１１】ナビゲーション装置のメイン画面および４ＷＳ操舵特性設定画面の一例を示す画面図。
【符号の説明】
【００９５】
７      操作スイッチ群
９      外部記憶装置
１０    表示装置
１２    リモコン端末
８２ｂ  データ記憶領域（内部記憶装置）
１００  ナビゲーション装置（走行支援装置）
１１１  トルクセンサ（電動パワーステアリング装置）
１１５  ＥＰＳアクチュエータ（電動パワーステアリング装置）
１３０  ＥＰＳ−ＥＣＵ（電動パワーステアリング装置）
２１１  操舵角センサ（伝達比可変操舵装置）
２１２  ＶＧＲＳアクチュエータ（伝達比可変操舵装置）
２１３  ＶＧＲＳ−ＥＣＵ（伝達比可変操舵装置）
３０１  ヨーレイトセンサ
３０２  後輪操舵アクチュエータ（後輪操舵装置）
３０６  後輪舵角センサ（後輪操舵装置）
３０７  後輪操舵ＥＣＵ（後輪操舵装置）
【図１】
2005225430.tif 000003
【図２】
2005225430.tif 000004
【図３】
2005225430.tif 000005
【図４】
2005225430.tif 000006
【図５】
2005225430.tif 000007
【図６】
2005225430.tif 000008
【図７】
2005225430.tif 000009
【図８】
2005225430.tif 000010
【図９】
2005225430.tif 000011
【図１０】
2005225430.tif 000012
【図１１】
2005225430.tif 000013